(57)【特許請求の範囲】
【請求項１】
外装材と内装材との間に設けられる断熱材と、該断熱材と前記外装材との間に設けられた隙間により通気層が形成された建物の壁構造に施工される換気口用のスリーブ装置において、該換気口用のスリーブ装置は、孔を有する筒状のスリーブと、前記内装材の外面に当接すると共に、前記スリーブの一端面に設けられたフランジ部とを有し、前記スリーブの外周にネジが設けられており、前記ネジに螺合すると共に、前記断熱材の一端面に当接し、前記通気層に収納される第１ナットと、前記断熱材の他端面に当接する第２ナットとを備えたことを特徴とする換気口用のスリーブ装置。
【請求項２】
前記スリーブ、第１及び第２ナットの材質は、樹脂であることを特徴とする請求項１に記載の換気口用のスリーブ装置。
【請求項３】
前記フランジ部には、前記内装材に当接する第１緩衝部を有することを特徴とする請求項１又は２に記載の換気口用のスリーブ装置。
【請求項４】
前記第１ナットには、前記断熱部材に当接する面に第２緩衝部を設けたことを特徴とする請求項１から３の何れかに記載の換気口用のスリーブ装置。
【請求項５】
前記スリーブは、前記内装材から前記外装材の方向に向かい所定の下り勾配を有することを特徴とする請求項１から４の何れかに記載の換気口用のスリーブ装置。
【請求項６】
前記第１又は第２ナットは鍔部を有し、ハット帽子の形状であることを特徴とする請求項１から５の何れかに記載の換気口用のスリーブ装置。
【請求項７】
前記スリーブの孔部の内側に上側を示すスリーブマークが付されていることを特徴とする請求項１から６に何れかに記載の換気口用のスリーブ装置。
【請求項８】
前記フランジ部の端部、前記第１ナット、第２ナットには、上側を示すフランジマーク、第１マーク、第２マークがそれぞれ付されていることを特徴とする請求項７に記載の換気口用のスリーブ装置。
【請求項９】
断熱材が施工された後、外装材と内装材とが施工されると共に、前記外装材と内装材とが施工される前に前記断熱材に設けられた孔に換気口用のスリーブ装置を施工する換気口用のスリーブ装置の施工方法であって、前記断熱材に設けられた孔に前記換気口用のスリーブ装置のスリーブを挿通した後、前記第１ナットと前記第２ナットとを前記スリーブのネジに螺合して前記断熱材を前記第１ナットと前記第２ナットにより挟持することを特徴とする換気口用のスリーブ装置の施工方法。
【発明の詳細な説明】
【技術分野】
【０００１】
本発明は、換気口用のスリーブ装置及びその施工方法の改良に関するものである。
【背景技術】
【０００２】
従来の換気口用のスリーブ装置は、下記特許文献１に記載されているように、防湿シートを備える建物外壁を貫通して通気孔を形成するための通気パイプであって、通気孔を形成すべき所定位置に該パイプを支持するとともに、パイプの周面から略垂直に張出して防湿シート７とパイプ周面との間の気密を可能とするフランジ部を有する。
そして、ボードの表面に防湿シートを設け、パイプ本体に気密ラバーを通しラバー周縁部に気密テープを貼って防湿シートの気密を図っている。
【０００３】
上記換気口用のスリーブ装置によれば、従来、通気パイプとフランジ材とは別体であったが、これらを一体化することにより、屋外フード装着時にパイプがずれてパイプと防湿シート（フランジ）との気密が損なわれることを防止できる。
【０００４】
【特許文献１】特開平９−１７７２９９号公報
【発明の開示】
【発明が解決しようとする課題】
【０００５】
しかしながら、上記従来の換気口用のスリーブ装置は、ボードの表面に防湿シートを設け、パイプ本体に気密ラバーを通しラバー周縁部に気密テープを貼って防湿シートの気密を図っているため、作業が煩雑であるという課題があった。
【０００６】
本発明は、上記のような課題を解決するためになされたもので、換気口用のスリーブ装置におけるスリーブ部と建物の壁材との気密性を簡易に向上できる換気口用のスリーブ装置及びその施工方法を提供することを目的とするものである。
【課題を解決するための手段】
【０００７】
第１の発明に係る換気口用のスリーブ装置は、外装材と内装材との間に設けられる断熱材と、該断熱材と前記外装材との間に設けられた隙間により通気層を形成された建物の壁構造に施工される換気口用のスリーブ装置において、該換気口用のスリーブ装置は、孔を有する筒状のスリーブと、前記内装材の外面に当接すると共に、前記スリーブの一端面に設けられたフランジ部とを有し、前記スリーブの外周にネジが設けられており、前記ネジに螺合すると共に、前記断熱材の一端面に当接し、前記通気層に収納される第１ナットと、前記断熱材の他端面に当接する第２ナットと、を備えたことを特徴とするものである。
【０００８】
第２の発明に係る換気口用のスリーブ装置におけるスリーブ、第１及び第２ナットの材質は樹脂である、ことを特徴とするものである。
【０００９】
第３の発明に係る換気口用のスリーブ装置におけるフランジ部には、内装材に当接する第１緩衝部を有する、ことを特徴とするものである。
【００１０】
第４の発明に係る換気口用のスリーブ装置における第１ナットには、断熱部材に当接する面に第２緩衝部を設けた、ことを特徴とするものである。
【００１１】
第５の発明に係る換気口用のスリーブ装置におけるスリーブは、内装材から外装材の方向に向かい所定の下り勾配を有する、ことを特徴とするものである。
【００１２】
第６の発明に係る換気口用のスリーブ装置における第１又は第２ナットは鍔部を有し、ハット帽子の形状である、ことを特徴とするものである。
【００１３】
第７の発明に係る換気口用のスリーブ装置は、スリーブの孔部の内側に上側を示すスリーブマークが付されている、ことを特徴とするものである。
【００１４】
第８の発明に係る換気口用のスリーブ装置は、フランジ部の端部、第１及び第２ナットには、上側を示すフランジマーク、第１マーク、第２マークがそれぞれ付されている、ことを特徴とするものである。
【００１５】
第９の発明に係る換気口用のスリーブ装置の施行方法は、断熱材が施工された後、外装材と内装材とが施工されると共に、前記外装材と内装材とが施工される前に前記断熱材に設けられた孔に換気口用のスリーブ装置を施工する換気口用のスリーブ装置の施工方法であって、前記断熱材に設けられた孔に前記換気口用のスリーブ装置のスリーブを挿通した後、前記第１ナットと前記第２ナットとをスリーブのネジに螺合して前記断熱材を前記第１ナットと前記第２ナットにより挟持する、ことを特徴とするものである。
【発明の効果】
【００１６】
第１の発明によれば、該換気口用のスリーブ装置は、孔を有する筒状のスリーブと、内装材の外面に当接すると共に、前記スリーブの一端面に設けられたフランジ部とを有し、前記スリーブの外周にネジが設けられており、前記ネジに螺合すると共に、断熱材の一端面に当接し、通気層に収納される第１ナットと、前記断熱材の他端面に当接する第２ナットとを備えたので、フランジ部が内装材の外面に当接し、断熱材の厚さに拘わらず、第１ナットと第２ナットとにより断熱材を挟み込む。これにより、断熱材と換気口用のスリーブ装置との気密性を簡易に向上することができるので、従来、スリーブ装置と内装材、断熱材の隙間にコーキングを不要にできるという効果がある。
【００１７】
第２の発明によれば、スリーブ、第１及び第２ナットの材質は樹脂としたので、軽量化が図ることができ、取扱い易いという効果がある。
【００１８】
第３の発明によれば、フランジ部には、内装材に当接する第１緩衝部を有するので、換気口用のスリーブ装置のフランジ部と内装材との気密性が一層向上するという効果がある。
【００１９】
第４又は第６の発明によれば、換気口用のスリーブ装置の第１ナットと断熱材との気密性が一層向上するという効果がある。
【００２０】
第５の発明によれば、スリーブは、内装材から外装材の方向に向かい所定の下り勾配を有したので、多湿外気が浸入してスリーブ内に水滴が留まっても、換気口用のスリーブ装置を通じて外装材の外部に排水できるという効果がある。
【００２１】
第７の発明によれば、スリーブの孔部の内側に上側を示すスリーブマークが付されたので、外装材のほうからスリーブの上下方向の向きを容易に確認できるという効果がある。
【００２２】
第８の発明によれば、フランジ部の端部、第１及び第２ナットには、上側を示すフランジマーク、第１マーク、第２マークがそれぞれ付されたので、内装材のほうからスリーブの上下方向の向きを容易に確認できるという効果がある。
【００２３】
第９の発明によれば、断熱材に設けられた孔にスリーブを挿通した後、第１及び第２ナットをスリーブのネジに螺合して断熱材を第１ナット第２ナットにより挟持したので、これにより、断熱材と換気口用のスリーブ装置との気密性を簡易に向上することができるので、従来、スリーブ装置と内装材、断熱材の隙間にコーキングを不要にできるという効果がある。
【発明を実施するための最良の形態】
【００２４】
実施の形態１．
本発明の一実施の形態を図１乃至図５によって説明する。図１は一実施の形態による換気口用のスリーブ装置の分解斜視図、図１に示すスリーブ装置の緩衝鍔付スリーブの正面図（ａ）、正面図（ａ）の矢視ｂ−ｂの断面図、図３はスリーブ装置の緩衝付第１ナットの正面図（ａ）、正面図（ａ）の矢視ｂ−ｂの断面図、図４はスリーブ装置の第２ナットの正面図（ａ）、正面図（ａ）の矢視ｂ−ｂの断面図である。図５は図１に示すスリーブ装置を建物に施工した状態における全体分解斜視図である。
図１及び図２おいて、換気口用のスリーブ装置１は、孔３ｅが穿設され、スリーブ部としてのフランジ付スリーブ３を有している。フランジ付スリーブ３は、外周にはネジ３ａが形成された円筒状のスリーブ３ｓと、該スリーブ３ｓの一端部に設けられた四角形状のフランジ部５とを有している。そして、スリーブ３ｓのネジ３ａに羅合するリング状の緩衝付第１ナット７、第２ナット９を有している。フランジ部５は、スリーブ３ｓと一体と成ったフランジ３ｆと、フランジ３ｆとほぼ同一形状で、孔を有すると共に、ウレタンから成る第１緩衝部６が固定されている。
フランジ部５には、ファン１０１に電源を供給するための電源線を貫通させる二つの孔３ｐが穿設されると共に、ファン１０１が固定される。
【００２５】
スリーブ３ｓは図２に示すように、フランジ３ｆからスリーブ３ｓの先端の方向に向かい所定の下り勾配を有している。これは多湿外気が浸入して水滴が生じると、該水滴がスリーブ３ｓから外に流れるようにするためである。上記所定の下り勾配θは、２度程度が好ましい。
この勾配が反対にならないために、第１緩衝部６には、「上」を示すフランジマーク６ｍが設けられている。同様に、図１及び図２に示すように、スリーブ３ｓの孔３ｅの内側にスリーブマークとしての突起３ｔが連続して設けられている。これは、どの位置でスリーブ３ｓが切断されても、突起３ｔがスリーブ３ｓに残るようにするためである。
【００２６】
緩衝付第１ナット７は図３に示すように、ハット帽子形状で孔７ｅを有しており、鍔７ｆを有すると共に、ネジ孔を有する第１ナット７ｎと、第１ナット７ｎの一端面に固定された第２緩衝部８とから成っている。第２緩衝部８は、リング状でウレタンから成り、第１ナット７ｎの鍔７ｆの外側面には「上」を示す第１マーク７ｍが設けられている。
第２ナット９は図３に示すように、第１ナット７と同一の形状で、鍔９ｆを有し、ネジ孔９ｅを備え、鍔９ｆの内側面に「上」を示す第２マーク９ｍが設けられている。
【００２７】
換気口用のスリーブ装置１のスリーブ３ｓ、第１ナット７ｎ、第２ナット９の材質は樹脂で弾力性があると共に、衝撃吸収性のあるもので、特にポリプロピレンが好ましい。これは、スリーブ装置１が通風を目的としているため、軽量化が図れるからである。
【００２８】
図５おいて、建物は、外装材２１と内装材２３との間に四角形状の第１柱２９が立設されており、第１柱２９の一端面に固定された断熱材２５と外装材２１との間に設けられた隙間に四角形状の第２柱２４が立設されて気流を流す通気層２７が形成されている。
換気口用のスリーブ装置１は、フランジ部５の第１緩衝部６が内装材２３の外面に当接しており、緩衝付第１ナット７がスリーブ３ｓのネジ３ａに螺合すると共に、緩衝付第１ナット７の第１緩衝部８が断熱材２５の一端面に当接すると共に、通気層２７に収納され、第２ナット９が断熱材２５の他端面に当接されている。
【００２９】
上記のように構成された換気口用のスリーブ装置１を用いて建物に施工する方法を図１乃至図６によって説明する。図６は換気口用のスリーブ装置を建物に施工した状態における側面断面図である。
まず、作業者は、換気口用のスリーブ装置１のスリーブ３ｓから緩衝付第１ナット７、第２ナット９を外し、図６に示すように、内装材２３を除く壁厚さ、つまり寸法Ａにわずかの余裕を見込み、スリーブ３ｓを切断する。第２ナット９をスリーブ３ｓのネジ３ａに螺合させながら回転させて内壁材２３と断熱材２５間の寸法Ｂに一致させる。そして断熱材２５にスリーブ３ｓを貫通させる孔２５ｅを穿設する。
【００３０】
断熱材２５が施工され、内壁材２３及び外装材２１が施工されていない状態において、スリーブ装置１のスリーブ３ｓを断熱材２５の孔２５ｅにスリーブ３ｓの突起３ｔが下になるように差し込む。この際に、内壁材２３側から見てフランジ部５のフランジマーク６ｍ，第２ナット９の第２マーク９ｍが上になるようにする。
【００３１】
屋外側から緩衝付第１ナット７をスリーブ３ｓのネジ３ａに螺合しながら、外装材２１から見て第１マーク７ｍが上になるようにする。これにより、断熱材２５が緩衝付第１ナット７の第２緩衝部８と第２ナット９とにより挟持されて気密性が保たれる。そして、フランジマーク６ｍ、第１及び第２マーク７ｍ，９ｍが上になるように施工することにより、スリーブ装置１のスリーブ３ｓは、内装材２３から外装材２１の方向に向かい所定の下り勾配を有して形成される。これにより、結露による水滴がスリーブ３ｓ内に生じると、該水滴が外装材２１の外に流れるようなる。
【００３２】
次に、スリーブ装置１のスリーブ３ｓの位置に合わせて外装材２１に孔２１ｅを穿設し、スリーブ３ｓを該孔２１ｅに挿通する。電源線５０を内装材２３と断熱材２５との空間に配線し、電源用孔３ｐを通してファン１０１に配線する。スリーブ装置１のスリーブ３ｓと電源線５０との位置に合わせて内装材２３に孔２３ｅを穿設して、スリーブ３ｓを該孔２３ｅに挿通する。これにより、スリーブ装置１の第１緩衝部６が内装材２３の端面に押圧される。これにより、内装材２３との気密性が保たれる。最後に、ファン１０１をスリーブ装置１の一端部に設置し、フード１０３をスリーブ装置１の他端部に設置してスリーブ装置１の施工が完了する。
【産業上の利用可能性】
【００３３】
換気口用のスリーブ装置は換気扇に適用できる。
【図面の簡単な説明】
【００３４】
【図１】本発明の一実施の形態による換気口用のスリーブ装置の分解斜視図である。
【図２】図１に示すスリーブ装置のスリーブ部及びフランジ部の正面図（ａ）、正面図（ａ）の矢視ｂ−ｂの断面図である。
【図３】図１に示すスリーブ装置の第１ナット部の正面図（ａ）、正面図（ａ）の矢視ｂ−ｂの断面図である。
【図４】図１に示すスリーブ装置の第２ナットの正面図（ａ）、正面図（ａ）の矢視ｂ−ｂの断面図である。
【図５】図１に示す換気口用のスリーブ装置を建物に施工した状態における全体分解斜視図である。
【図６】本発明の一実施の形態による換気口用のスリーブ装置を建物に施工した状態における側面断面図である。
【符号の説明】
【００３５】
１  換気用のスリーブ装置、  ３  フランジ付スリーブ、  ３ａ  ネジ、  ３ｆ  フランジ、  ３ｓ  スリーブ、  ３ｔ  突起（スリーブマーク）、  ５  フランジ部、  ６  第１緩衝部、  ６ｍ  フランジマーク、  ７  緩衝付ナット、  ７ｎ  第１ナット、  ７ｆ，  ９ｆ  鍔、  ７ｍ  第１マーク、  ８  第２緩衝部、  ９  第２ナット、  ９ｍ  第２マーク。
【図１】
0004574579.tif 000002
【図２】
0004574579.tif 000003
【図３】
0004574579.tif 000004
【図４】
0004574579.tif 000005
【図５】
0004574579.tif 000006
【図６】
0004574579.tif 000007